(57)【要約】      （修正有）【課題】坂道を楽に登ることが出来るパワーギアを設けた自転車を提供する。【解決手段】自転車の後のチェンギア２５を設けたシャフト６に圧縮ギア１２を設けてギアボックス１８の中に圧縮ギア１２を入れて設け、ギアボックス１８の中に設けたバネ止めの凸起と圧縮ギア１２のツメ１３、１４の間にゴムのバネ１６をはめて設け、ペタルを踏んで前のギアから後のチェンジギア２５にチェンで回転力を伝えて荷重のかかった後輪を回さんとすると、ギアボックス１８の中でゴムのバネ１６が圧縮されてちぢみ、ゴムのバネ１６の反発する力と、ペタルを踏んで後のチェンギア２５を回す回転力が一緒になって力の強い回転力を生んで後輪に力の強い回転力を伝えて自転車に乗って坂道を楽に登ることが出来る。【選択図】図１６
0003221865.tif 000002
【実用新案登録請求の範囲】
【請求項１】
シャフト（１）に穴（２）をあけて設け、シャフト（３）に穴（４）をあけて設け、シャフト（６）の一端にフリーホイール（８）とハブ（９）とハブ（１０）を設け、シャフト（６）に穴（７）をあけて設け、フリーホイール（８）に穴（３７）をあけて設け、穴（３７）の一端にツメ（５）を設け、ハブ（９）とハブ（１０）にスポーク（２９）を設け、スポーク（２９）に後輪（２８）をつないで設け、ギアボックス（１８）に穴（２０）をあけて設け、ギアボックス（１８）の一端に穴（１９）を掘って設け、穴（１９）の一端にバネ止めの凸起（２１）とバネ止めの凸起（２２）を設け、ボルト（２３）の両端にネジ（２４）と（２４）を設け、ゴムのバネ（１６）の外周の周囲に複数の穴（１７）を掘って設け、シャフト（６）の穴（７）にシャフト（３）を入れてフリー回転をするようにして設け、シャフト（３）の穴（４）にシャフト（１）を入れてフリー回転をするようにして設け、シャフト（３）にギアボックスの穴（２０）をはめてギアボックス（１８）をシャフト（３）に固定して設け、シャフト（１）に圧縮ギアの穴（１５）をはめてシャフト（１）に
圧縮ギア（１２）を固定して設けて圧縮ギア（１２）をギアボックス（１８）の穴（１９）の中に入れて設け、圧縮ギアのツメ（１３）とギアボックス（１８）のバネ止めの凸起（２１）の間にゴムのバネ（１６）をはめて設け、圧縮ギアのツメ（１４）とギアボックス（１８）のバネ止めの凸起（２２）の間にゴムのバネ（１６）をはめて設け、ギアボックス（１８）にフタ（３４）をはめて設け、反対のシャフト（３）にラチェットギア（１１）の穴（３６）をはめてシャフト（３）にラチェットギア（１１）を固定して設けてラチェットギア（１１）をフリーホイール（８）の穴（３７）の中に入れてフリーホイールの穴（３７）に設けたツメ（５）をラチェットギア（１１）にはめて設け、シャフト（３）と後輪（２８）をスポーク（２９）でつないだシャフト（６）をつなぎ、反対のシャフト（１）にチェンギア（２５）に設けた穴（３５）をはめてシャフト（１）にチェンギア（２５）を固定して設け、パワーギアの組立の終った装置を自転車のフレーム（２６）の後輪を設けるフレーム（２６）とフレーム（２６）の間に入れて設けて片方のフレーム（２６）の側面からネジ（２４）を設けたボルト（２３）を入れてシャフトの穴（２）の中を通して反対のフレーム（２６）の側面の外に出し、フレーム（２６）の両方の側面に出ているネジ（２４）にナット（２７）を絞めて自転車のフレーム（２６）にパワーギアを設け、フレーム（２６）の前に設けたギア（３２）と後ろのフレーム（２６）に設けたチェンギア（２５）をチェン（３３）でつなぎ、ペタル（３１）を設けたクランク（３０）を自転車の前のフレーム（２６）に設けたギア（３２）に左右対称に設けてパワーギアを設けた自転車は力の強い回転力で走行することが出来る。
以上のように装置してパワーギアを設けた自転車。
【考案の詳細な説明】
【技術分野】
【０００１】  この考案は、自転車の後のギアにパワーギアを設けて坂道を楽に登ることの出来るパワーギアの装置。
【背景技術】
【０００２】  従来の自転車に設けた後のチェンギアは、坂道を登らんとするときはギアの大きさを変えて坂道を自転車が登っていた。又、電動で走る自転車は、バッテリーが切れると自転車を走らせることが出来ない欠点があった。
【考案が解決しようとする課題】
【０００３】  自転車の後のチェンギアを設けたシャフトに圧縮ギア（１２）を設けてギアボックス（１８）の中に圧縮ギア（１２）を入れて設け、ギアボックス（１８）の中に設けたバネ止めの凸起（２１）と（２２）と圧縮ギア（１２）のツメ（１３）と（１４）の間にゴムのバネ（１６）をはめて設け、ペタル（３１）を踏んで前のギア（３２）から後のチェンジギア（２５）にチェン（３３）で回転力を伝えて荷重のかかった後輪を回さんとすると、ギアボックス（１８）の中でゴムのバネ（１６）が圧縮されてちぢみ、ゴムのバネ（１６）の反発する力と、ペタル（３１）を踏んで後のチェンギア（２５）を回す回転力が一緒になって力の強い回転力を生んで後輪に力の強い回転力を伝えて自転車に乗って坂道を楽に登ることが出来る自転車のパワーギアを作ることを課題に研究をすすめた。
【課題を解決するための手段】
【０００４】  円筒のゴムのバネ（１６）の表面の一端の外周の周辺に複数の穴（１７）を掘り、シャフト（１）に穴（２）をあけて設け、シャフト（３）に穴（４）をあけて設け、シャフト（６）に穴（７）をあけて設けたシャフト（６）の一端に穴（３７）を設けたフリーホイール（８）とハブ（９）とハブ（１０）を設け、フリーホイール（８）の穴（３７）の中にツメ（５）を設け、ラチェットギア（１１）に穴（３６）をあけて設け、ギアボックス（１８）に穴（１９）を掘り、穴（１９）の一端にバネ止めの凸起（２１）とバネ止めの凸起（２２）を設け、ギアボックス（１８）の一端に穴（２０）をあけて設け、ボルト（２３）の両端にネジ（２４）を設け、シャフト（３）の穴（４）の中にシャフト（１）を入れてシャフト同士がフリー回転をするようにして設け、シャフト（６）の穴（７）の中にシャフト（３）を入れてシャフト同士がフリー回転をするようにして設け、シャフト（３）の一端にギアボックス（１８）の穴（２０）をはめてシャフト（３）にギアボックス（１８）を固定して設け、シャフト（１）に圧縮ギア（１２）の穴（１５）をはめて、シャフト（１）に圧縮ギア（１２）を固定して設けて圧縮ギア（１２）をギアボックス（１８）の穴（１９）の中に入れて設け、シャフト（３）の反対のシャフト（３）にラチェットギアの穴（３６）をはめてシャフト（３）にラチェットギア（１１）を固定して設け、シャフト（６）に設けたフリーホイルの穴（３７）の中に入れてフリーホイールの穴（３７）に設けたツメ（５）をラチェットギア（１１）にはめて設け、シャフト（３）とシャフト（６）をラチェットギアでつなぎ、反対のシャフト（１）にチェンギアの穴（３５）をはめてシャフト（１）にチェンギア（２５）を固定して設け、ギアボックスのバネ止めの凸起（２１）と圧縮ギアのツメ（１３）の間にゴムのバネ（１６）をはめて設け、反対のバネ止めの凸起（２２）と圧縮ギアのツメ（１４）の間にゴムのバネ（１６）をはめて設け、ゴムのバネ（１６）でチェンギア（２５）を設けたシャフト（１）とラチェットギア（１１）を設けたシャフト（３）をつなぎ、ラチェットギア（１１）とツメ（５）でギアボックス（１８）を設けたシャフト（３）と後輪をハブ（９）と（１０）に設けたスポーク（２９）でつないで設けたシャフト（６）をつなぎ、組立の絡ったパワーギアを、自転車のフレーム（２６）の後輪を設けるフレーム（２６）とフレーム（２６）の間にパワーギアをはさんでフレーム（２６）の側面からネジ（２４）を両端に設けたボルト（２３）を通してシャフトの穴（２）から反対のフレーム（２６）の側面にボルト（２３）のネジ（２４）を出し、パワーギアを設けたフレーム（２６）の左右に出たネジ（２４）にナット（２７）を両方のフレーム（２６）に絞めて自転車にパワーギアを設け、自転車のフレーム（２６）の前に設けたギア（３２）と、フレーム（２６）の後に設けたチェンギア（２５）をチェン（３３）でつなぎ、前のギア（３２）にペタル（３１）を設けたクランク（３０）を左右対称にして設けてパワーギアを設けた自転車は完成をする。
パワーギアを設けた自転車のペタル（３１）を踏んで前のギア（３２）からチェン（３３）で後のチェンギア（２５）に回転力を伝えると、チェンギア（２５）が圧縮ギア（１２）を回して圧縮ギアに設けたツメ（１３）と（１４）がゴムのバネ（１６）を押して回ると、ギアボックス（１８）のバネ止めの凸起（２１）とバネ止めの凸起（２２）にゴムのバネ（１６）は強くはさまれて圧縮されてちぢんで反発した力がバネ止めの凸起（２１）と（２２）を押してギアボックス（１８）がシャフト（３）を回し、ラチェットギア（１１）にツメ（５）でつながったシャフト（６）がスポーク（２９）につながった後輪（２８）を回す回転力と、ペタル（３１）を踏んで前のギア（３２）からチェン（３３）で後のチェンギア（２５）に回転力を伝える力が一緒に後輪（２８）に力の強い回転力を伝えることが出来るために力の強い回転力で自転車は前に進めることが出来、自転車に乗って坂道を楽に登ることが出来、ペタルを踏む足は、力の負担が少なくて済む自転車に設けたパワーギアの装置。
【本考案の効果】
【０００５】  本考案のゴムのバネは、外周近辺に複数の穴を掘って作ってあるためにゴムのバネを中心軸に向けてちぢめればちぢめるほど反発力が強くなる自転車に設けるゴムのバネであり、ゴムのバネを設けたパワーギアを設けた自転車は、自転車に乗って坂道を楽に登ることが出来る効果がある。
【本考案次のようなことが出来る】
【０００６】  ゴムのバネをシリコンのゴムで作ることが出来、ゴムのバネを変形させて作ることも出来る。
又、圧縮ギアのツメを複数設けて複数のゴムのバネをギアボックスの中に設けることも出来、圧縮ギアのツメを変形させて作ることも出来る。
又、シャフト同士をはめて設けたシャフトとシャフトの間にベアリングを設けてシャフト同士の回転がスムースに回るように作ることも出来る。
【図面の簡単な説明】
【０００７】
【図１】図１は、正面図
【図２】図２は、正面図
【図３】図３は、正面図
【図４】図４は、平面図
【図５】図５は、平面図
【図６】図６は、平面図
【図７】図７は、平面図
【図８】図８は、正面図
【図９】図９は、平面図
【図１０】図１０は、一部カットした側面図
【図１１】図１１は、一部カットした正面図
【図１２】図１２は、一部カットした正面図
【図１３】図１３は、平面図
【図１４】図１４は、一部カットした正面図
【図１５】図１５は、平面図
【図１６】図１６は、一部カットした正面図
【図１７】図１７は、平面図
【図１８】図１８は、一部カットした側面図
【符号の説明】
【０００８】  １は、シャフト
２は、穴
３は、シャフト
４は、穴
５は、ツメ
６は、シャフト
７は、穴
８は、フリーホイール
９は、ハブ
１０は、ハブ
１１は、ラチェットギア
１２は、圧縮ギア
１３は、圧縮ギアのツメ
１４は、圧縮ギアのツメ
１５は、圧縮ギアの穴
１６は、ゴムのバネ
１７は、バネに掘った穴
１８は、ギアボックス
１９は、ギアボックスに掘った穴
２０は、ギアボックスの穴
２１は、バネ止の凸起
２２は、バネ止の凸起
２３は、ボルト
２４は、ボルトのネジ
２５は、後のチェンギア
２６は、自転車のフレーム
２７は、ナット
２８は、後輪
２９は、スポーク
３０は、クランク
３１は、ペタル
３２は、前のギア
３３は、チェン
３４は、ギアボックスのフタ
３５は、チェンギアの穴
３６は、ラチェットギアの穴
３７は、フリーホイールの穴
【図１】
0003221865.tif 000003
【図２】
0003221865.tif 000004
【図３】
0003221865.tif 000005
【図４】
0003221865.tif 000006
【図５】
0003221865.tif 000007
【図６】
0003221865.tif 000008
【図７】
0003221865.tif 000009
【図８】
0003221865.tif 000010
【図９】
0003221865.tif 000011
【図１０】
0003221865.tif 000012
【図１１】
0003221865.tif 000013
【図１２】
0003221865.tif 000014
【図１３】
0003221865.tif 000015
【図１４】
0003221865.tif 000016
【図１５】
0003221865.tif 000017
【図１６】
0003221865.tif 000018
【図１７】
0003221865.tif 000019
【図１８】
0003221865.tif 000020
【手続補正書】
【提出日】平成31年4月4日(2019.4.4)
【手続補正１】
【補正対象書類名】実用新案登録請求の範囲
【補正対象項目名】全文
【補正方法】変更
【補正の内容】
【実用新案登録請求の範囲】
【請求項１】
シャフト（１）に穴（２）をあけて設け、シャフト（３）に穴（４）をあけて設け、シャフト（６）の一端にフリーホイール（８）とハブ（９）とハブ（１０）を設け、シャフト（６）に穴（７）をあけて設け、フリーホイール（８）に穴（３７）をあけて設け、穴（３７）の一端にツメ（５）を設け、ハブ（９）とハブ（１０）にスポーク（２９）を設け、スポーク（２９）に後輪（２８）をつないで設け、ギアボックス（１８）に穴（２０）をあけて設け、ギアボックス（１８）の一端に穴（１９）を掘って設け、穴（１９）の一端にバネ止めの凸起（２１）とバネ止めの凸起（２２）を設け、ボルト（２３）の両端にネジ（２４）を設け、ゴムのバネ（１６）は円形に作り、シャフト（６）の穴（７）にシャフト（３）を入れてフリー回転をするようにして設け、シャフト（３）の穴（４）にシャフト（１）を入れてフリー回転をするようにして設け、シャフト（３）にギアボックスの穴（２０）をはめてギアボックス（１８）をシャフト（３）に固定して設け、シャフト（１）に圧縮ギアの穴（１５）をはめてシャフト（１）に圧縮ギア（１２）を固定して設けて圧縮ギア（１２）をギアボックス（１８）の穴（１９）の中に入れて設け、圧縮ギアのツメ（１３）とギアボックス（１８）のバネ止めの凸起（２１）の間にゴムのバネ（１６）をはめて設け、圧縮ギアのツメ（１４）とギアボックス（１８）のバネ止めの凸起（２２）の間にゴムのバネ（１６）をはめて設け、ギアボックス（１８）にフタ（３４）をはめて設け、反対のシャフト（３）にラチェットギア（１１）の穴（３６）をはめてシャフト（３）にラチェットギア（１１）を固定して設けてラチェットギア（１１）をフリーホイール（８）の穴（３７）の中に入れてフリーホイールの穴（３７）に設けたツメ（５）をラチェットギア（１１）にはめて設けて、シャフト（３）とシャフト（６）をつなぎ、シャフト（６）に設けたハブ（９）とハブ（１０）に後輪（２８）をスポーク（２９）でつなぎ、シャフト（１）の一端にチェンギア（２５）を固定して設け、組立の終わったパワーギアの装置を自転車の後輪を設けるフレーム（２６）とフレーム（２６）の間にはさんで設け、片方のフレーム（２６）の側面の穴からネジ（２４）を設けたボルト（２３）を入れてシャフト（１）の穴（２）の中を通し、反対のフレーム（２６）の穴からボルト（２３）に設けたネジ（２４）の一端を出し、フレーム（２６）の両方の側面に出ているネジ（２４）にナット（２７）を絞めて後輪を設ける自転車のフレーム（２６）にパワーギアを設け、自転車のフレーム（２６）の前に設けたギア（３２）とギア（３２）の後に設けたチェンギア（２５）をチェン（３３）でつなぎ、ペタル（３１）を設けたクランク（３０）を自転車の前のフレーム（２６）に設けたギア（３２）に左右対称に設けたパワーギアを設けた自転車。